【手続補正書】
【提出日】平成19年6月27日(2007.6.27)
【手続補正１】
【補正対象書類名】明細書
【補正対象項目名】発明の名称
【補正方法】変更
【補正の内容】
【発明の名称】画面読み上げソフトを使用する利用者に向けたＷebページ案内サーバー及び方法
【手続補正２】
【補正対象書類名】明細書
【補正対象項目名】特許請求の範囲
【補正方法】変更
【補正の内容】
【特許請求の範囲】
【請求項１】  画面読み上げソフトを使用する利用者に向けたＷebページ案内サーバーであって、
インターネット上のＷebサイトに適時にアクセスしてそれらＷebサイトのＷebページを収集する収集手段と、
前記収集手段により収集したＷebページのマークアップ言語の記述構造を解析し、当該記述構造に基づいて音声化適性値を求める適正値算出手段と、
前記適性値算出手段により求められた各Ｗebページについての前記音声化適性値に応じたコメントを前記各Ｗebページへのハイパーリンクに対応付け、前記画面読み上げソフトで効果的に音声化されるようなマークアップ言語によって設計された案内用のＷebページを作成して保管する保管手段と、
アクセスしてきた利用者コンピュータからの要求に応じて、前記保管手段により作成して保管された案内用のＷebページを当該利用者コンピュータへ送信する送信手段と、
を備えたことを特徴とするＷebページ案内サーバー。
【請求項２】  前記収集手段により収集したＷebページをカテゴリー分類する分類手段を備え、
前記保管手段は、前記各Ｗebページを、前記分類手段による分類に従って整理して前記案内用のＷebページを作成することを特徴とする請求項１記載のＷebページ案内サーバー。
【請求項３】  前記保管手段は、前記案内用のＷebページには前記音声化適性値が基準以上に良好であったＷebページについての紹介項目だけを記載することを特徴とする請求項１又は２記載のＷebページ案内サーバー。
【請求項４】 前記案内用のＷebページを受信した前記利用者コンピュータからの前記ハイパーリンクによるリクエストに応答して該当のＷebページを取り寄せるとともに、そのＷebページに含まれる音声化に不適当な要素を取り除いて前記利用者コンピュータに送信する手段を備えることを特徴とする請求項１〜３のうち何れかに記載のＷebページ案内サーバー。
【請求項５】  画面読み上げソフトを使用する利用者に向けてサーバーによりＷebページを案内する方法であって、前記サーバーが、
インターネット上のＷebサイトに適時にアクセスしてそれらＷebサイトのＷebページを収集する収集ステップと、
前記収集ステップで収集したＷebページのマークアップ言語の記述構造を解析し、当該記述構造に基づいて音声化適性値を求める適正値算出ステップと、
前記適性値算出ステップで求められた各Ｗebページについての前記音声化適性値に応じたコメントを前記各Ｗebページへのハイパーリンクに対応付け、前記画面読み上げソフトで効果的に音声化されるようなマークアップ言語によって設計された案内用のＷebページを作成して保管する保管ステップと、
アクセスしてきた利用者コンピュータからの要求に応じて、前記保管ステップで作成して保管された案内用のＷebページを当該利用者コンピュータへ送信する送信ステップと、を実行することを特徴とするＷebページ案内方法。
【手続補正３】
【補正対象書類名】明細書
【補正対象項目名】０００５
【補正方法】変更
【補正の内容】
【０００５】
この発明は前述した従来の問題点に鑑みなされたもので、その目的は、インターネット上で展示されている膨大なＷebページの中から画面読み上げソフトを使用している人にとって有用なＷebページを紹介する自動処理を実行するＷebページ案内サーバーを提供することにある。
【手続補正４】
【補正対象書類名】明細書
【補正対象項目名】０００６
【補正方法】変更
【補正の内容】
【０００６】
【課題を解決するための手段】
基本となる発明は、画面読み上げソフトを使用する利用者に向けたＷebページ案内サーバーであって、インターネット上のＷebサイトに適時にアクセスしてそれらＷebサイトのＷebページを収集する収集手段と、前記収集手段により収集したＷebページのマークアップ言語の記述構造を解析し、当該記述構造に基づいて音声化適性値を求める適正値算出手段と、前記適性値算出手段により求められた各Ｗebページについての前記音声化適性値に応じたコメントを前記各Ｗebページへのハイパーリンクに対応付け、前記画面読み上げソフトで効果的に音声化されるようなマークアップ言語によって設計された案内用のＷebページを作成して保管する保管手段と、アクセスしてきた利用者コンピュータからの要求に応じて、前記保管手段により作成して保管された案内用のＷebページを当該利用者コンピュータへ送信する送信手段と、を備えたことを特徴とするものである。
【手続補正５】
【補正対象書類名】明細書
【補正対象項目名】０００７
【補正方法】変更
【補正の内容】
【０００７】
このＷebページ案内サーバーにおいて、望ましくは、前記収集手段により収集したＷebページをカテゴリー分類する分類手段を備え、前記保管手段は、前記各Ｗebページを、前記分類手段による分類に従って整理して前記案内用のＷebページを作成する構成とする。
【手続補正６】
【補正対象書類名】明細書
【補正対象項目名】０００８
【補正方法】変更
【補正の内容】
【０００８】
また望ましくは、前記保管手段は、前記案内用のＷebページには前記音声化適性値が基準以上に良好であったＷebページについての紹介項目だけを記載する。さらに、本発明のＷebページ案内サーバーは、望ましくは、前記案内用のＷebページを受信した前記利用者コンピュータからの前記ハイパーリンクによるリクエストに応答して該当のＷebページを取り寄せるとともに、そのＷebページに含まれる音声化に不適当な要素を取り除いて前記利用者コンピュータに送信する手段を備える。
また、本発明は、画面読み上げソフトを使用する利用者に向けてサーバーによりＷebページを案内する方法であって、前記サーバーが、インターネット上のＷebサイトに適時にアクセスしてそれらＷebサイトのＷebページを収集する収集ステップと、前記収集ステップで収集したＷebページのマークアップ言語の記述構造を解析し、当該記述構造に基づいて音声化適性値を求める適正値算出ステップと、前記適性値算出ステップで求められた各Ｗebページについての前記音声化適性値に応じたコメントを前記各Ｗebページへのハイパーリンクに対応付け、前記画面読み上げソフトで効果的に音声化されるようなマークアップ言語によって設計された案内用のＷebページを作成して保管する保管ステップと、アクセスしてきた利用者コンピュータからの要求に応じて、前記保管ステップで作成して保管された案内用のＷebページを当該利用者コンピュータへ送信する送信ステップと、を実行することを特徴とする。
【手続補正７】
【補正対象書類名】明細書
【補正対象項目名】００２２
【補正方法】変更
【補正の内容】
【００２２】
【発明の効果】
この発明によれば、インターネット上で展示されている膨大なＷebページの中から画面読み上げソフトを使用している人にとって有用なＷebページを収集し、画面読み上げソフトで効果的に音声化させる表現により収集Ｗebページをハイパーリンク付きで紹介する自動処理を実行する。とくに、そのＷebページの紹介プロセスにおいて、各ページの音声化適性の程度を利用者に知らせるようにしているので、音声読み上げに向いたコンテンツを能率よく閲覧することができる。これにより視覚障害者などがインターネットを利用しやすくなり、社会のバリアフリー化に貢献する。